(57)【要約】【課題】  比較的高い公称保持力を有し、ばねナットのボルトへの取付けやボルトからの取外しの際には比較的小さな取付け力あるいは取外し力で達成されるばねナットを提供すること。【解決手段】  ばねナットはボルトへの固定のため、互いに向い合って配置され、ばね作用のある係止脚部５，６を取付けた枠部１を有する。更には、一端部で可撓性をもって枠部１に取付けられ、締付位置で保持装備１３，１４と噛合う締結脚部９を備える。締結脚部９は、締付位置で少なくとも一つの係止脚部５，６に、ばねナットをボルト１６に保持する保持力の元となる締付力を付勢することにより、課題は達成される。【選択図】  図１
2008534875.tif 000002
【特許請求の範囲】
【請求項１】
ボルト（１６）への固定のため、開口部（４）を備える枠部（１）と、互いに離れた端部で枠部に取付けられ、互いに向い合った自由端部で枠部の開口部へ突出する、少なくとも二つの互いに相対して配置され、ばね作用のある係止脚部とを有するばねナットにおいて、
一端部で可撓性をもって枠部（１）に取付けられる締結脚部（９）を備えること、および締結脚部（９）が締結位置で噛合う保持機構（１３，１４）を備えること、そして締結脚部（９）は、締結位置で少なくとも一つの係止脚部（５，６）に、ばねナットをボルト（１６）に保持する保持力の元となる締付力を付勢することを特徴とするばねナット。
【請求項２】
請求項１に記載のばねナットであって、
締結脚部（９）は二つの係止脚部（５，６）の各取付け領域の間に配置された連結部において枠部（１）と結合し、全ての係止脚部（５，６）へ締付力を付勢することを特徴とするばねナット。
【請求項３】
請求項１または２に記載のばねナットであって、
締結脚部（９）は、各締付力の生成用に一のまたは各係止脚部（５，６）へ作用する突起部（１０，１１）を有することを特徴とするばねナット。
【請求項４】
請求項３に記載のばねナットであって、
突起部は、係止脚部（５，６）の方向に曲げられた複数の縁部（１０，１１）を有し、該縁部（１０，１１）の数は締結脚部（９）が共同作用する係止脚部（５，６）の数に相当すること、および各係止脚部（５，６）に該縁部（１０，１１）作用することを特徴とするばねナット。
【請求項５】
請求項１〜４のいずれかに記載のばねナットであって、
係止脚部（５，６）の自由端部は、締結脚部（９）の解放位置で相互に少なくともボルト（１６）の標準直径に相当する間隙を有することを特徴とするばねナット。
【請求項６】
請求項１〜５のいずれかに記載のばねナットであって、
係止脚部（５，６）の自由端部は各々円弧状の内縁部（８）を有する縁開口部（７）を備えることを特徴とするばねナット。
【請求項７】
請求項１〜６のいずれかに記載のばねナットであって、
保持機構は、枠部（１）に本質的に直角に取付けられ、締結脚部（９）の方向に向いてばね作用のある噛合い構造を形成する保持脚部（１３）を備えることを特徴とするばねナット。
【請求項８】
請求項７に記載のばねナットであって、
該噛合い構造（１４）は保持脚部（１３）の自由端部から間隙を持って配置されることを特徴とするばねナット。
【請求項９】
請求項７または８に記載のばねナットであって、
該噛合い構造は、締結脚部（１４）の締結位置で締結脚部（９）を掛け止める突起（１４）であることを特徴とするばねナット。
【発明の詳細な説明】
【技術分野】
【０００１】
本発明は請求項１の上位概念に記載のばねナットに係るものである。即ち、ボルトへの固定のため、開口部を備える枠部と、互いに離れた端部で枠部に取付けられ、互いに向い合った自由端部で枠部の開口部へ突出する、少なくとも二つの互いに相対して配置され、ばね作用のある係止脚部とを有するばねナットに関する。
【背景技術】
【０００２】
この種のばねナットはドイツ特許ＤＥ  １９７  ３３  ７７１  Ｃ１［特許文献１］によって公知である。この公知のばねナットにおいては、二つの相対して配置され、枠部の開口部へ突出し、ボルトとりわけねじボルトと、ばねナットが例えば組付部材を押付けた状態下で、ボルトと結合する支持部材にボルトで結合されるように噛合うばね作用のある係止脚部が枠部に取付けられる。
【特許文献１】ＤＥ  １９７  ３３  ７７１  Ｃ１
【発明の開示】
【発明が解決しようとする課題】
【０００３】
本発明は、非常に小さな挿入力でもって非常に高い保持力を有し、そしてばねナットをボルトから意図的に取外す際には逆に非常に小さい引出し力（ないし取外し力）で遂行されることを特徴とする冒頭で述べた種のばねナットを提供することをその課題とするものである。
【課題を解決するための手段】
【０００４】
この課題は、請求項１に記載された特徴事項を有する冒頭で述べた種のばねナットによって本発明により解決される。即ち一端部で可撓性をもって枠部に取付けられる締結脚部を備えること、および締結脚部が締結位置で噛合う保持機構を備えること、そして締結脚部は、締結位置で少なくとも一つの係止脚部に、ばねナットをボルトに保持する保持力の元となる締付力を付勢することを特徴とする。
【発明の効果】
【０００５】
本発明のばねナットは、少なくとも一つの係止脚部で保持力が生成されるように作用し、そして締結位置で保持機構と噛合い（係合）に至り、そしてそれでもって締結位置で固定される締結脚部を備えるということによって、本発明のばねナットは非常に小さい挿入力でボルトへ押込まれ、その際ばねナットは締結脚部の締結位置でボルトに比較的高い保持力を及ぼし、また保持機構での締結脚部の噛合い（係合）を解除した後では比較的小さな引出し（取外し）力で再びボルトから取外される。
【０００６】
更なる本発明の目的に沿った展開形態は従属請求項の対象に示される。
本発明の好ましい実施態様を、図を参照として以下に詳述するが、そこから目的に沿った別の構成及び利点は明確となる。
【発明を実施するための最良の形態】
【０００７】
図１は本発明のばねナットの一実施態様を斜視図で示す。図１に関する本実施態様は例えば薄鋼板のような薄い金属板製であり、プレス抜きされ、二つの縁側の脚部分２，３から張出して脚部分２，３の面から一方向へ遠ざかるように折曲げられた取囲み枠部１を備える。
【０００８】
取囲み枠部１の内側領域には開口部として、それぞれの脚部分２，３に配設された係止脚部５，６が突出する本質的には四角形状の枠開口部４が形成される。係止脚部５，６は、脚部分２，３から立ち上る連結部（複数）にほぼ沿うように延在し、脚部分２，３から離れて位置する自由端部で相互に間隙をもって配置される。係止脚部５，６の自由端部にはそれぞれ円弧状の内縁８を有する縁開口部７が備えられる。
【０００９】
両脚部分２，３の間に延在する枠部１の一方の連結部の中央領域には、これに対向する側の枠部１の連結部の方向へ突出する締結脚部９がばね作用をもって設けられる。締結脚部９には係止脚部５，６の領域に在る側縁部に突出部の構成部品として係止脚部５，６の方向に湾曲した縁部１０，１１が備えられる。さらには、締結脚部９には、幅は好ましくは係止脚部５，６の自由端部の間隙より大きく、長さは枠開口部４に相当する大きさにほぼ等しい貫通噛合い開口部１２が備えられる。
【００１０】
最後に、本実施態様に係るばねナットは保持機構の部材として、締結脚部９の取付け領域（基部）に対向する位置の連結部にその中央領域に配設され、締結脚部９の自由端部の方向にほぼ直角に延在する保持脚部１３を備える。
【００１１】
図２は図１に係る実施態様の斜視図であり、締結脚部９の自由端部が保持脚部１３に形成され突出した保持舌部１４によって掛り止め（拘止、背後で係合）される締結脚部９の締結位置を示す。締結位置で縁部１０，１１は、枠開口部４へ導入され、係止脚部５，６の自由端を通過して、支持部材１５に固定され、ここに記述したように滑らかな外面あるいは従来の細目ねじまたは太目ねじを備えるボルト１６に、図１に示された締結脚部９の開放された解除位置で取付け力に比べて明らかに高い保持力が作用するように、係止脚部５，６に作用する。係止脚部５，６の自由端が締結脚部９の解除位置で相互間に少なくともボルト１６の標準直径に相当する間隙を有することは好ましいことである。ばねナットの安全性を確実にする目的で、すでに締結脚部９の解除位置で係止脚部５，６の自由端の間隙はボルト１６の公称直径よりも小さいほうが好ましい。
【００１２】
図２から明らかなように、締結脚部９の締結（ないし締付け固定）位置（Schliessstellung）で、例えば組付部材１７は支持部材１５に結合される。本発明のばねナットの解除のためには、保持舌部１４の締結脚部９の自由端部への掛り止め（拘止、背後で係合）が解除されるまで、ただ保持脚部１３を締結脚部９の自由端部から遠ざかるように動かすだけで十分である。そうすると、締結脚部９は枠１から遠ざかるようにばね作用（弾性的に復原）するので、締結脚部９の締結位置でふたたび保持力に比べ明らかに小さい取外し力となる。
【００１３】
ここで、ばねナットの装着、締結（ねじ込み）および取外しのサイクルはばねナット材の長期的可撓性の範囲内で、保持力が実用上変わることなく、便利に好きなように何度も繰り返されることができる。
【００１４】
ここでは図示されていない本発明のばねナットの更なる展開形態として、怪我防止具として、枠１から離れる方向にボルトカバーが締結脚部９に形成されることは、本発明の目的に沿うものである。
【図面の簡単な説明】
【００１５】
図面において、
【図１】締結脚部が解放位置にある本発明によるばねナットの一実施態様の斜視図、及び
【図２】図１に係る実施態様で、締結脚部が固定位置でボルトと噛合っている場合の斜視図を示す。
【符号の説明】
【００１６】
１          枠部
２、３      脚部分
４          枠開口部
５、６      係止脚部
７          縁開口部
８          内縁部
９          締結脚部    
１０、１１  縁部
１２        貫通噛合い開口部
１３        保持脚部
１４        保持舌部
１５        支持部材
１６        ボルト
１７        組付部材
【図１】
2008534875.tif 000003
【図２】
2008534875.tif 000004
【手続補正書】
【提出日】平成19年11月29日(2007.11.29)
【手続補正１】
【補正対象書類名】明細書
【補正対象項目名】全文
【補正方法】変更
【補正の内容】
【発明の詳細な説明】
【技術分野】
【０００１】
本発明は請求項１の上位概念に記載のばねナットに係るものである。即ち、ボルトへの固定のため、開口部を備える枠部と、互いに離れた端部で枠部に取付けられ、互いに向い合った自由端部で枠部の開口部へ突出する、少なくとも二つの互いに相対して配置され、ばね作用のある係止脚部とを有するばねナットに関する。
【背景技術】
【０００２】
この種のばねナットはドイツ特許ＤＥ  １９７  ３３  ７７１  Ｃ１［特許文献１］によって公知である。この公知のばねナットにおいては、二つの相対して配置され、枠部の開口部へ突出し、ボルトとりわけねじボルトと、ばねナットが例えば組付部材を押付けた状態下で、ボルトと結合する支持部材にボルトで結合されるように噛合うばね作用のある係止脚部が枠部に取付けられる。
【特許文献１】ＤＥ  １９７  ３３  ７７１  Ｃ１
【発明の開示】
【発明が解決しようとする課題】
【０００３】
本発明は、非常に小さな挿入力でもって非常に高い保持力を有し、そしてばねナットをボルトから意図的に取外す際には逆に非常に小さい引出し力（ないし取外し力）で遂行されることを特徴とする冒頭で述べた種のばねナットを提供することをその課題とするものである。
【課題を解決するための手段】
【０００４】
この課題は、請求項１に記載された特徴事項を有する冒頭で述べた種のばねナットによって本発明により解決される。即ち一端部で可撓性をもって枠部に取付けられる締結脚部を備えること、および締結脚部が締結位置で噛合う保持機構を備えること、そして締結脚部は、締結位置で少なくとも一つの係止脚部に、ばねナットをボルトに保持する保持力の元となる締付力を付勢することを特徴とする。
【発明の効果】
【０００５】
本発明のばねナットは、少なくとも一つの係止脚部で保持力が生成されるように作用し、そして締結位置で保持機構と噛合い（係合）に至り、そしてそれでもって締結位置で固定される締結脚部を備えるということによって、本発明のばねナットは非常に小さい挿入力でボルトへ押込まれ、その際ばねナットは締結脚部の締結位置でボルトに比較的高い保持力を及ぼし、また保持機構での締結脚部の噛合い（係合）を解除した後では比較的小さな引出し（取外し）力で再びボルトから取外される。
【０００６】
更なる本発明の目的に沿った展開形態は従属請求項の対象に示される。
締結脚部は二つの係止脚部の各取付け領域の間に配置された連結部において枠部と結合し、全ての係止脚部へ締付力を付勢することが好ましい。（形態１）
締結脚部は、各締付力の生成用に一のまたは各係止脚部へ作用する突起部を有することが好ましい。（形態２）
突起部は、係止脚部の方向に曲げられた複数の縁部を有し、該縁部の数は締結脚部が共同作用する係止脚部の数に相当すること、および各係止脚部に該縁部作用することが好ましい。（形態３）
係止脚部の自由端部は、締結脚部の解放位置で相互に少なくともボルトの標準直径に相当する間隙を有することが好ましい。（形態４）
係止脚部の自由端部は各々円弧状の内縁部を有する縁開口部を備えることが好ましい。（形態５）
保持機構は、枠部に本質的に直角に取付けられ、締結脚部の方向に向いてばね作用のある噛合い構造を形成する保持脚部を備えることが好ましい。（形態６）
該噛合い構造は保持脚部の自由端部から間隙を持って配置されることが好ましい。（形態７）
該噛合い構造は、締結脚部の締結位置で締結脚部を掛け止める突起であることが好ましい。（形態８）
【０００７】
本発明の好ましい実施態様を、図を参照として以下に詳述するが、そこから目的に沿った別の構成及び利点は明確となる。
【発明を実施するための最良の形態】
【０００８】
図１は本発明のばねナットの一実施態様を斜視図で示す。図１に関する本実施態様は例えば薄鋼板のような薄い金属板製であり、プレス抜きされ、二つの縁側の脚部分２，３から張出して脚部分２，３の面から一方向へ遠ざかるように折曲げられた取囲み枠部１を備える。
【０００９】
取囲み枠部１の内側領域には開口部として、それぞれの脚部分２，３に配設された係止脚部５，６が突出する本質的には四角形状の枠開口部４が形成される。係止脚部５，６は、脚部分２，３から立ち上る連結部（複数）にほぼ沿うように延在し、脚部分２，３から離れて位置する自由端部で相互に間隙をもって配置される。係止脚部５，６の自由端部にはそれぞれ円弧状の内縁８を有する縁開口部７が備えられる。
【００１０】
両脚部分２，３の間に延在する枠部１の一方の連結部の中央領域には、これに対向する側の枠部１の連結部の方向へ突出する締結脚部９がばね作用をもって設けられる。締結脚部９には係止脚部５，６の領域に在る側縁部に突出部の構成部品として係止脚部５，６の方向に湾曲した縁部１０，１１が備えられる。さらには、締結脚部９には、幅は好ましくは係止脚部５，６の自由端部の間隙より大きく、長さは枠開口部４に相当する大きさにほぼ等しい貫通噛合い開口部１２が備えられる。
【００１１】
最後に、本実施態様に係るばねナットは保持機構の部材として、締結脚部９の取付け領域（基部）に対向する位置の連結部にその中央領域に配設され、締結脚部９の自由端部の方向にほぼ直角に延在する保持脚部１３を備える。
【００１２】
図２は図１に係る実施態様の斜視図であり、締結脚部９の自由端部が保持脚部１３に形成され突出した保持舌部１４によって掛り止め（拘止、背後で係合）される締結脚部９の締結位置を示す。締結位置で縁部１０，１１は、枠開口部４へ導入され、係止脚部５，６の自由端を通過して、支持部材１５に固定され、ここに記述したように滑らかな外面あるいは従来の細目ねじまたは太目ねじを備えるボルト１６に、図１に示された締結脚部９の開放された解除位置で取付け力に比べて明らかに高い保持力が作用するように、係止脚部５，６に作用する。係止脚部５，６の自由端が締結脚部９の解除位置で相互間に少なくともボルト１６の標準直径に相当する間隙を有することは好ましいことである。ばねナットの安全性を確実にする目的で、すでに締結脚部９の解除位置で係止脚部５，６の自由端の間隙はボルト１６の公称直径よりも小さいほうが好ましい。
【００１３】
図２から明らかなように、締結脚部９の締結（ないし締付け固定）位置（Schliessstellung）で、例えば組付部材１７は支持部材１５に結合される。本発明のばねナットの解除のためには、保持舌部１４の締結脚部９の自由端部への掛り止め（拘止、背後で係合）が解除されるまで、ただ保持脚部１３を締結脚部９の自由端部から遠ざかるように動かすだけで十分である。そうすると、締結脚部９は枠１から遠ざかるようにばね作用（弾性的に復原）するので、締結脚部９の締結位置でふたたび保持力に比べ明らかに小さい取外し力となる。
【００１４】
ここで、ばねナットの装着、締結（ねじ込み）および取外しのサイクルはばねナット材の長期的可撓性の範囲内で、保持力が実用上変わることなく、便利に好きなように何度も繰り返されることができる。
【００１５】
ここでは図示されていない本発明のばねナットの更なる展開形態として、怪我防止具として、枠１から離れる方向にボルトカバーが締結脚部９に形成されることは、本発明の目的に沿うものである。
【図面の簡単な説明】
【００１６】
図面において、
【図１】締結脚部が解放位置にある本発明によるばねナットの一実施態様の斜視図、及び
【図２】図１に係る実施態様で、締結脚部が固定位置でボルトと噛合っている場合の斜視図を示す。
【符号の説明】
【００１７】
１          枠部
２、３      脚部分
４          枠開口部
５、６      係止脚部
７          縁開口部
８          内縁部
９          締結脚部    
１０、１１  縁部
１２        貫通噛合い開口部
１３        保持脚部
１４        保持舌部
１５        支持部材
１６        ボルト
１７        組付部材
【国際調査報告】
2008534875.tif 000005
2008534875.tif 000006
2008534875.tif 000007
2008534875.tif 000008